(57)【要約】【課題】  長手方向両端部の明るさを向上できる照明器具を提供する。【解決手段】  照明器具１は、器具本体２と、反射部材９と、光源部１３と、光源部カバー２１を具備する。器具本体２の長手方向両端部２ｂに支持部６を夫々設ける。これら支持部６にわたって反射部材９を器具本体２の下側に支持する。反射部材９はその幅方向両側に張り出した反射部９ａを有している。光源部１３を反射部材９に取付けて支持部６間に配置する。光源部カバー２１を、光源部１３を下方から覆って反射部材９に支持する。光源部カバー２１は、拡散透過性であるとともに、反射部９ａに対して下方に突出される光拡散部２２を備える。この光拡散部２２が反射部材９の長手方向の端部２ｂに対する光漏れ用の漏光端部２２ａを有していて、この漏光端部２２ａから漏れる光によって照明器具１の長手方向の端部２ｂを照らすようにしたことを特徴としている。【選択図】図６
2011070940.tif 000002
【特許請求の範囲】
【請求項１】
器具本体と；
この器具本体の長手方向両端部に夫々設けられた支持部にわたって前記器具本体の下側に支持されるとともに幅方向両側に張り出した反射部を有する反射部材と；
この反射部材に取付けられて前記支持部間に配置された光源部と；
この光源部を下方から覆って前記反射部材に支持されるとともに前記反射部に対して下方に突出される光拡散部を備え、この光拡散部が前記反射部材の長手方向の端部に対する光漏れ用の漏光端部を有した拡散透過性の光源部カバーと；
を具備することを特徴とする照明器具。
【請求項２】
前記反射部材に対する前記光源部カバーの長手方向移動を規制するストッパが、前記反射部材の長手方向両端部に夫々取付けられていて、これらストッパの反射性能が前記反射部の反射性能と同じかそれ以上であることを特徴とする請求項１に記載の照明器具。
【発明の詳細な説明】
【技術分野】
【０００１】
本発明は例えば建物や列車の天井等に設置して使用される照明器具に関する。
【背景技術】
【０００２】
天井に固定される本体ケースが底面視において長尺な四角形状であり、このケースの短手方向中央部の長手方向両端部に下方へ突出するソケットを夫々固定し、これら一対のソケット間に直管型の蛍光ランプを取付けるとともに、本体ケースの長手方向にスライド可能なソケットカバーを、ソケットを被覆する位置とソケットを露出する位置とにわたって移動可能に本体ケースに取付けた蛍光灯ユニットが、従来技術として知られている。
【先行技術文献】
【特許文献】
【０００３】
【特許文献１】特開２００６−４９０４２号公報（段落0014−0025、図１）
【発明の概要】
【発明が解決しようとする課題】
【０００４】
従来技術に係る蛍光灯ユニットでは、本体ケースの中央部の短手方向両端に形成された本体ケースの傘部で、蛍光ランプから斜め上側に向けて出射された光を下方へ反射させることができる。
【０００５】
しかし、蛍光灯ユニットの長手方向両端に、ランプソケットとこれを覆ったソケットカバーとが配設されている。そのため、蛍光灯ユニットの長手方向両端部は、蛍光ランプ及びこのランプの光で照らされる傘部より暗くなる。
【０００６】
こうしたことから、例えば、複数の蛍光灯ユニットがその長手方向に連続させてライン状に配設された場合、隣接する蛍光灯ユニットが連続する部分が、そこへの光の入射がランプソケット及びソケットカバーで遮られて暗くなる。
【０００７】
これとともに、ライン状に配設された複数の蛍光灯ユニットの内で端に配置された蛍光灯ユニットの長手方向の一端に連続する天井部分、或いは蛍光灯ユニットが非連続又は単独に設置される場合、これら蛍光灯ユニットの長手方向両端に連続する天井部分への光の入射がランプソケット及びソケットカバーで遮られるので、前記天井部分が暗くなる。
【０００８】
前記のように従来の蛍光灯ユニットは、その長手方向両端部が暗くなる、という課題がある。
【課題を解決するための手段】
【０００９】
前記課題を解決するために、請求項１の発明は、器具本体と；この器具本体の長手方向両端部に夫々設けられた支持部にわたって前記器具本体の下側に支持されるとともに幅方向両側に張り出した反射部を有する反射部材と；この反射部材に取付けられて前記支持部間に配置された光源部と；この光源部を下方から覆って前記反射部材に支持されるとともに前記反射部に対して下方に突出される光拡散部を備え、この光拡散部が前記反射部材の長手方向の端部に対する光漏れ用の漏光端部を有した拡散透過性の光源部カバーと；を具備することを特徴としている。
【００１０】
この発明で、器具本体の端部に設けられた支持部は、器具本体とは別成形されたものをねじ止め等により固定することで設けてもよく、或いは、器具本体の端部の一部を下方に突出するように変形させて、その突出部分を支持部として用いることも可能である。この発明で、反射部材は、その少なくとも反射部の表面が光反射性能を有するものであればよく、反射部の表面は、光反射のための反射層を有していてもよく、或いは金属の地肌面で光を反射させるものであってもよい。
【００１１】
この発明で、光源部には、蛍光ランプ、又はモジュール基板に複数の発光素子を実装してなる発光装置を用いることができる。発光装置を用いる場合、それが有する発光素子には、半導体発光素子、例えばＬＥＤ（発光ダイオードイ）やＥＬ（エレクトロルミネセンス）素子等を用いることができる。発光素子がＬＥＤの場合、ＳＭＤ（表面実装型）のＬＥＤやベアチップからなるＬＥＤ等を用いることができる。こうしたＬＥＤを有する発光装置からなる光源部を用いた場合、前記反射部材を金属製として、この反射部材に発光装置を熱伝導するように装着することで、ＬＥＤが発する熱を反射部材から放熱することが可能である。
【００１２】
この発明で、光源部カバーの拡散透過性は、光源部カバーを拡散透過性の材料製とすることで得ることができ、又は、透光性材料の成形体に例えばフロスト加工を施すことによって得ることができる。この発明で、光源部カバーの光拡散部は、上方に開放した凹状であっても、或いは凹状ではなく開放部を有さないソリッド構造であってもよい。この発明で、光拡散部の漏光端部とは、光拡散部が上方に開放した凹状である場合、この光拡散部の長手方向の端部を閉じて一体に設けられる端壁を指しており、光拡散部がソリッド構造である場合、この光拡散部の長手方向の端面を指している。
【００１３】
請求項１の発明の照明器具は、建物などの天井に設置して使用される。この照明器具が点灯された状態で、光源部から出射された光は、下方の光源部カバーの光拡散部に入射して、この光拡散部を拡散透過する。これにより、光拡散部の下方に向けて拡散光が透過するだけではなく、光拡散部の側方へ向けて拡散光が透過するとともに、光拡散部の漏光端部にも拡散光が透過する。
【００１４】
光拡散部の側方へ向けて透過した拡散光の一部は反射部材の反射部に入射して下方へ反射されるので、光拡散部とその両側の反射部とが共に光って下方の照明に供される。更に、漏光端部を透過した拡散光の一部が照明器具の長手方向の端部を照らすので、これらの端部が暗くならないようにその明るさを向上できる。したがって、本発明の照明器具が単独で建物の天井に設置された場合、この照明器具の長手方向の端部及びその近傍の天井部分を照らすことができる。又、本発明の照明器具が複数連続させてライン状に天井に設置された場合、隣接する照明器具の連続する部分が暗くならないように、この部分を照らすことができる。
【００１５】
請求項の２の発明は、請求項１の発明において、前記反射部材に対する前記光源部カバーの長手方向移動を規制するストッパが、前記反射部材の長手方向両端部に夫々取付けられていて、これらストッパの反射性能が前記反射部の反射性能と同じかそれ以上であることを特徴としている。
【００１６】
この請求項２の発明では、漏光端部を透過した拡散光の一部が、反射部材の長手方向両端部でその反射部により下方へ反射されることに加えて、ストッパでも下方へ反射される。そのため、照明器具の長手方向の端部がより明るくなり、照明器具の長手方向の端部で下方へ反射される光量を増やすことができる。
【発明の効果】
【００１７】
請求項１の発明の照明器具によれば、光源を覆う拡散透光性カバーの長手方向の端から器具本体の長手方向に漏れる光によって、照明器具の長手方向両端部の明るさを向上できる、という効果がある。
【００１８】
請求項２の発明の照明器具によれば、請求項１の発明において、更に、照明器具の長手方向の端部の明るさをより向上できる、という効果がある。
【図面の簡単な説明】
【００１９】
【図１】（Ａ）は本発明の一実施の形態に係る照明器具を示す平面図である。（Ｂ）は同照明器具を一部切欠いて示す側面図である。
【図２】図１の照明器具を一部切欠いて示す下面図である。
【図３】図１（Ｂ）中Ｆ３−Ｆ３線から見るとともに一部を切欠いて示す図１の照明器具の端面図である。
【図４】図１（Ｂ）中Ｆ４−Ｆ４線に沿って示す照明器具の断面図である。
【図５】図１の照明器具の長手方向の一端部を示す断面図である。
【図６】図１の照明器具を分解して示す斜視図である。
【発明を実施するための形態】
【００２０】
以下、図１〜図６を参照して本発明の一実施の形態について、詳細に説明する。
【００２１】
図１〜図６中符号１は照明器具例えば光源に複数のＬＥＤを用いたＬＥＤ照明器具を示している。この照明器具１は、器具本体２と、電源部４と、複数例えば一対の支持部６と、光源モジュール８と、光源部カバー２１と、一対のストッパ２５と、カバー部材２７を具備している。光源モジュール８は、反射部材９と、光源部１３とからなる。
【００２２】
器具本体２は、金属板製であって、帯状の平板の両側部を図４に示すように夫々下方に折り曲げてなり、図１（Ａ）に示すように平面視長四角形状に形成されている。この器具本体２の両側部間の平板部に固定部２ａが複数設けられている。固定部２ａは、例えばねじ通孔からなり、これら固定を下方から上向きに挿通する図示しないねじによって、器具本体２は建物や列車の天井材Ａ（図３及び図４参照）に固定されるようになっている。
【００２３】
図１（Ａ）（Ｂ）、図３、及び図４に示すように電源部４は、電源部ホルダ４ａと、点灯装置４ｂと、端子台４ｃ，４ｄを有している。
【００２４】
電源部ホルダ４ａは、金属製であって、器具本体２の長手方向中央部に上方に突出して取付けられている。点灯装置４ｂは、後述する光源部１３のＬＥＤ１５を発光させるとともに調光制御を担うものであって、電源部ホルダ４ａの天面部下面に取付けられている。端子台４ｃは、電源用であって、電源部ホルダ４ａの一方の起立壁に取付けられている。端子台４ｄは、調光信号用であって、電源部ホルダ４ａの他方の起立壁に取付けられている。この電源部４は天井材Ａに設けた天井孔Ｂ（図４参照）に通されるようになっている。
【００２５】
一対の支持部６は、器具本体２とは別に成形されていて、器具本体２の長手方向の端部２ｂに夫々下方に突出して固定されている。これら支持部６は、金属製であり、図４及び図６に示すように水平な受け板部６ａを有し、この受け板部６ａの略中央部にねじ孔６ｂを有している。
【００２６】
光源モジュール８の反射部材９は、放熱部材を兼ねるために金属製、好ましくは熱伝導性及び光反射性に優れるアルミニウム合金の押し出し型材からなる。反射部材９の全長は器具本体２の全長と略同じである。図４及び図６に示すように反射部材９は、ベース部９ａと、一対の側壁部９ｂと、一対の反射部９ｃとを有している。
【００２７】
ベース部９ａは、水平な板部であり、その長手方向の端部９ｄにねじ通孔１０（図５及び図６参照）を夫々有している。一対の側壁部９ｂはベース部９ａの側縁から下方に略直角に折れ曲がるように一体に連続されていて、ベース部９ａの幅方向に相対向している。ここに幅方向とはベース部９ａの長手方向に直交する短手方向（図４では左右方向）を指している。これらベース部９ａと一対の側壁部９ｂとにより、下方及び長手方向の両端が夫々開放した溝が形成されている。一対の反射部９ｃは、側壁部９ｂの下端から直角に折れ曲がるように一体に連続されていて、互に遠ざかるように側方に張り出している。これら反射部９ｃは略水平であり、その下面に意匠性向上のために複数の筋が長手方向に連続して設けられている。
【００２８】
図４及び図６に示すように側壁部９ｂと反射部９ｃとが連続した角部の夫々に、前記溝に向けて開放するカバー取付け溝１１が形成されている。このカバー取付け溝１１の長手方向両端は夫々開放されている。
【００２９】
光源モジュール８の光源部１３は、図２に示すように複数の発光モジュール１３ａを一列に真っ直ぐ並べて形成されている。各発光モジュール１３ａは、例えばＣＯＢ（chip on board）型のものであって、所定の配線パターン（図示しない）が設けられたモジュール基板１４と、このモジュール基板１４に実装された複数の発光素子例えばベアチップからなるＬＥＤ１５と、図示しない蛍光体層を有して形成されている。
【００３０】
モジュール基板１４には金属ベース基板を好適に用いることができる。各ＬＥＤ１５は前記配線パターンなどを介して電気的に直列に接続されている。なお、隣接した発光モジュール１３ａが有するＬＥＤ同士は、図示しない電気コネクタを介して電気的に直列に接続されている。各ＬＥＤ１５には青色ＬＥＤが用いられている。蛍光体層は、蛍光体が混ぜられた透光性樹脂からなり、各ＬＥＤ１５及び配線パターンを覆ってこれらを封止して設けられている。蛍光体には、白色の照明光を得るために青色とは補色の関係にある黄色の蛍光体が用いられている。
【００３１】
光源部１３は、そのモジュール基板１４を前記ベース部９ａの下面に熱伝導可能に密接させてベース部９ａにねじ止め等により固定されている。以上の構成の光源モジュール８は、その反射部材９のベース部９ａの長手方向の端部９ｄの上面を、支持部６の受け板部６ａに下側から接触させて、取付けねじ１６をねじ通孔１０に通してねじ孔６ｂにねじ込むことにより、器具本体２の下側に一対の支持部６に渡って支持されている。
【００３２】
光源部カバー２１は拡散透光性を有している。そのために、例えばアクリル樹脂の成形体の表面にフロスト加工が施された光源部カバー２１が使用されている。この光源部カバー２１は、光拡散部２２と、一対の取付け縁２３を備えている。
【００３３】
光拡散部２２は光源モジュール８全体を下方から覆うことができる大きさであるが、その全長は一対の支持部６の最短の離間寸法より多少短い。この光拡散部２２の長手方向の端部は夫々漏光端部２２ａをなしているとともに、これら漏光端部２２ａ間の部位はその長手方向と直交する幅方向（短手方向）の断面は半円弧状をなしている（図４参照）。そのため、光拡散部２２は上方に開放されている。なお、光拡散部２２の前記部位の断面形状は半円弧状に制約されず、略Ｕ字状又は略Ｖ字状等であってもよいとともに、前記部位は中実（ソリッド構造）であってもよい。
【００３４】
図４に示すように光拡散部２２の幅Ｗ１は、モジュール基板１４の幅Ｗ２、より正確には蛍光体層の幅以上に広くすることが好ましく、更に、光拡散部２２の幅Ｗ１に対して図３中ニ点鎖線で示すように高さ寸法Ｈを２倍以上とすることが好ましい。このようにした場合、光拡散部２２で拡散されてその側方（幅方向）に透過する光で、照明器具１の幅方向両側を広域に照明することが可能である。
【００３５】
漏光端部２２ａは、本実施形態では光拡散部２２の長手方向の端をなす端壁で形成されている。この漏光端部２２ａで拡散された拡散光の一部を光拡散部２２の長手方向に透過させることができる。
【００３６】
取付け縁２３は光拡散部２２の上端から夫々幅方向両側に略水平状に張り出している。これらの取付け縁２３を前記一対のカバー取付け溝１１に、反射部材９の端面から長手方向に挿入してスライドさせることによって、光源部カバー２１が反射部材９の下端部に支持されている。こうして支持された光源部カバー２１は光源部１３の下方に配置されていて、光源部１３を下方から覆っている。
【００３７】
これとともに、光源部カバー２１の光拡散部２２は、反射部材９の反射部９ｃ間にあって、かつ、これら反射部９ｃに対して下方に突出されている。更に、図５に示すように光拡散部２２の漏光端部２２ａは、反射部材９の長手方向の端部９ｄの下方で、かつ、この端部９ｄに対して斜め上方向から臨むように配置されている。
【００３８】
一対のストッパ２５は、金属製であって、図６に示すように水平板部２５ａの両側縁から下方にＬ字状のストッパ部２５ｂを折り曲げて形成されている。ストッパ２５は、そのストッパ部２５ｂの先端部をカバー取付け溝１１に挿入して、反射部材９の長手方向の端部において反射部９ｃ間にこれらにわたって設けられている。これとともに、ストッパ２５は、その水平板部２５ａをベース部９ａの長手方向の端部９ｄ下面に接触させた状態で、前記取付けねじ１６により反射部材９の長手方向の端部９ｄに夫々固定されている。
【００３９】
したがって、取付けねじ１６は、ベース部９ａの長手方向の端部９ｄと水平板部２５ａを共に締め付けている。それにより、ベース部９ａの長手方向の端部９ｄが支持部６の受け板部６ａとストッパ２５の水平板部２５ａとの間に挟持されている。こうしてねじ止めされた一対のストッパ２５のストッパ部２５ｂは、前記取付け縁２３に至近距離で対向している。それによって、反射部材９に対する光源部カバー２１の長手方向移動が規制され、光源部カバー２１が位置決めされている。
【００４０】
一対のストッパ２５はその表面に金属めっき又は塗装により形成された光反射層（図示しない）を有している。この光反射層により、ストッパ２５の反射性能は、反射部９ｃの反射性能と同じがそれ以上となっている。
【００４１】
カバー部材２７は、金属製であって、長四角の枠状に形成されている。カバー部材２７は、その上端に幅方向に沿って互に遠ざかる方向に張り出した上部折り曲げ部２７ａを有しているとともに、下端に幅方向に沿って互に近づく方向に張り出した下部折り曲げ部２７ｂを有している。
【００４２】
カバー部材２７は、その下部折り曲げ部２７ｂを反射部９ｃの上面に載置して、器具本体２及び光源モジュール８の反射部９ｃを除いた部分を収容している。そのため、反射部９ｃ及び光源部カバー２１はカバー部材２７の下側に配置されているとともに、カバー部材２７は、照明器具１を下方から見てストッパ２５及びこれを貫通した取付けねじ１６を覆うことがなく、それにより、それらの視認及び取付けねじ１６の締付け操作が可能となるように設けられている。
【００４３】
取付けねじ１６の締め付けによって、カバー部材２７の上部折り曲げ部２７ａが天井材Ａの下面に密接されるとともに下部折り曲げ部２７ｂが反射部９ｃの上面に密接されて、このカバー部材２７が天井材Ａと反射部９ｃとの間に挟まれるようになっている。それにより、金属製のカバー部材２７が反射部材９に熱伝導可能に接触されるので、ＬＥＤ１５が発した熱を反射部９ｃだけではなく、カバー部材２７に伝導させて外部に放出することができる。
【００４４】
照明器具１を空調照明器具として実施する場合、カバー部材２７に空調用スリット２９が設けられる。具体例としては、図５及び図６に示すようにカバー部材２７の長手方向の両端を担った端板２７ｃの幅方向中央部に、その下縁に開放する空調用スリット２９が切欠いて形成される。そのため、照明器具１の空調用スリット２９を経由させて空気調節のシステムによる給排気を行わせることができる。
【００４５】
このような空調用スリット２９をカバー部材２７に設けた構成では、照明器具１を天井に取付け施工して設置することで、同時に空調用スリットも設置できる。そのため、これらの施工を別々に行う必要がなくなり、施工性を向上できる。これとともに、別々に施工を行う場合のように空調用スリットを天井に設置するための専用の備品を省略できる利点がある。なお、空調用スリット２９は、複数の照明器具１を連続させて天井に設置した場合、隣接した照明器具１同士に渡る送り配線が通る通線部として利用でき、そして、この点はスリットが空調用でない場合にも同様である。
【００４６】
前記構成の照明器具１の組立て手順を説明する。
【００４７】
まず、予め、電源部４と支持部６が固定された器具本体２を天井材Ａに固定する。この場合、電源部４が天井材Ａの天井孔Ｂに挿入されることで、器具本体２は天井材Ａの下面に接触されるので、固定部２ａにねじを通して器具本体２を天井材Ａに直付けできる。
【００４８】
次に、器具本体２を収めるようにカバー部材２７を配置した状態を維持しつつ、予め、光源部カバー２１がカバー取付け溝１１に挿入して支持された光源モジュール８を器具本体２の下側に配置し、その反射部材９のベース部９ａの長手方向の端部９ｄを夫々支持部６に接触させた上で、ベース部９ａの端部９ｄ下面にストッパ２５を配置して、取付けねじ１６を用いてストッパ２５と光源モジュール８の端部を支持部６に固定する。
【００４９】
これにより照明器具１が組立てられ、器具本体２の下側に光源モジュール８が固定されると同時に、カバー部材２７が反射部材９の反射部９ｃと天井材Ａとの間に挟設される。これともに、ストッパ２５のストッパ部２５ｂが、光源部カバー２１が有した取付け縁２３の長手方向の端面に近接ないしは軽微に接するように設けられることにより、光源部カバー２１が長手方向に移動しないように位置決めされる。
【００５０】
なお、以上の手順を繰り返して複数の照明器具１を直線状に連続させて天井材Ａに固定した場合、図１及び図５に示すように隣接する照明器具１のカバー部材２７の端板２７ｃ同士は互に接する。そのため、空調照明器具である場合には、互に接触された端板２７ｃの空調用スリット２９同士は連続する。
【００５１】
以上のように建物などの天井に照明器具１が設置された状態で、光源部１３が点灯装置４ｂにより点灯されると、光源部１３から出射された光が、光源部１３より下側の光源部カバー２１の光拡散部２２に入射して、この光拡散部２２を拡散透過する。これにより、光拡散部２２の下方に向けて拡散光が透過して、照明器具１の下方空間の照明に供される。
【００５２】
それだけではなく、拡散光の一部は光拡散部２２の側方へ向けて透過するとともに、拡散光の他の一部は光拡散部２２の長手方向両端の漏光端部２２ａを透過する。
【００５３】
光拡散部２２の側方へ向けて透過した拡散光は、光拡散部２２の上端部からその両側に張り出して連続するように設けられている反射部材９の反射部９ｃに入射して下方へ反射される。このイメージを図３及び図４中矢印Ｃで示す。したがって、光拡散部２２とその両側の反射部９ｃとが共に明るく光って下方の照明に供される。
【００５４】
更に、漏光端部２２ａを透過した拡散光は、照明器具１の長手方向両端部２ｂを照らすので、これらの端部２ｂが暗くならないようにその明るさを向上できる。このイメージを図５中矢印Ｄで示す。
【００５５】
そのため、照明器具１が単独で建物等の天井に設置された場合、この照明器具１の長手方向の端部２ｂ及びその近傍の天井部分を明るく照らすことができる。又、照明器具１が複数連続してライン状に天井に設置された場合、隣接する照明器具１の連続する部分が暗くならないように、この部分を明るく照らして、連続された照明器具１の光る部分の連続性を得ることができる。
【００５６】
しかも、反射部材９の長手方向の端部９ｄに配設されていて光源部カバー２１を動き止めストッパ２５は、反射部９ｃの反射性能と同じかそれ以上の反射性能を有している。そのため、漏光端部２２ａを透過した拡散光が、反射部材９の長手方向の端部９ｄでその反射部９ｃで下方へ反射されることに加えて、これら反射部９ｃ間に設けられているストッパ２５でも下方へ反射される。これにより、照明器具１の長手方向の端部の明るさをより明るくできるとともに、照明器具１の長手方向の端部で下方へ反射される光量を増やすことができる。
【００５７】
また、光源モジュール８は発光素子として複数のＬＥＤ１５を備えているので、その発光時に高い熱を発する。この熱はモジュール基板１４を経由して金属製の反射部材９のベース部９ａに伝導される。更に、ベース部９ａの熱は、側壁部９ｂ及び反射部９ｃへと伝導されて、この反射部９ｃから外部に放出される。これと共に、反射部９ｃの熱は金属製のカバー部材２７にも伝導されて、このカバー部材２７から外部に放出される。したがって、こうした放熱によりＬＥＤ１５の温度過昇を抑制できるので、各ＬＥＤ１５の発光性能及び寿命の低下を抑制できる。更に、以上のように反射部材９を放熱部材として兼用したので、特別に放熱部材を要することがない。
【符号の説明】
【００５８】
１…照明器具、２…器具本体、２ａ…器具本体の長手方向の端部、６…支持部、９…反射部材、９ｃ…反射部、１３…光源部、２１…光源部カバー、２２…光拡散部、２２ａ…漏光端部、２５…ストッパ
【図１】
2011070940.tif 000003
【図２】
2011070940.tif 000004
【図３】
2011070940.tif 000005
【図４】
2011070940.tif 000006
【図５】
2011070940.tif 000007
【図６】
2011070940.tif 000008